(57)【特許請求の範囲】
【請求項１】
両側辺の一対の縦フレーム材、上辺フレーム材、および下辺フレーム材により矩形に枠組みされたパネル外周フレームと、このパネル外周フレームの下隅部付近に下端が位置するブレース材とを有し、前記一対の縦フレーム材の両方または片方の縦フレーム材が、建物の柱に沿って配置されて前記柱に接合され、かつ前記下辺フレーム材が前記柱の柱脚プレートよりも上方に位置するブレース付き壁パネルにおいて、
前記パネル外周フレームに、下辺における前記柱との接合側の端部から下方に延びて、前記柱の柱脚側面から張り出したパネル取合板に重ねてボルト接合される柱取合兼ブレース接合板を設け、前記ブレース材の下端を、ブレース芯が前記柱の柱芯に前記柱脚プレートの高さ位置で交わるように、前記柱取合兼ブレース接合板に接合し、かつこの柱取合兼ブレース接合板に、パネル建起こし時補強用の建方用アングル材を重ねて接合したことを特徴とするブレース付き壁パネルの脚部構造。
【請求項２】
請求項１において、前記柱が設置された基礎または土台の上面に下端が接するレベル調整用ボルトを、前記建方用アングル材に調整ボルト取付部材を介して上下位置調整可能に設けたブレース付き壁パネルの脚部構造。
【発明の詳細な説明】
【技術分野】
【０００１】
この発明は、軽量鉄骨造や鉄骨造のパネル工法建物におけるブレース付き壁パネルの脚部構造、特に無柱側の脚部構造に関する。
【背景技術】
【０００２】
図６は、この種のブレース付き壁パネルの脚部構造の従来例を示す。従来の脚部構造では、パネル外周フレーム２２の下隅部から上方に張り出したブレース接合板３４にブレース材２３の下端を接合している。また、壁パネルのレベル調整用ボルト３７を、パネル外周フレーム２２の下辺フレーム材２７に取付けている。
【先行技術文献】
【特許文献】
【０００３】
【特許文献１】特開２００９−９１７８５号公報
【発明の概要】
【発明が解決しようとする課題】
【０００４】
図６の例のように、パネル外周フレーム２２の下隅部から上方に張り出したブレース接合板３４にブレース材２３の下端を接合した従来例の脚部構造では、同図に矢印で示すように、柱３０の柱芯における柱脚プレート３１よりも高い位置でブレース芯が交わることになる。つまり、ブレース材２３の引付点Ａが柱脚プレート３１から偏芯した位置にあることになり、柱３０の柱脚部に負荷がかかるという問題がある。
また、従来例の脚部構造では、壁パネルのレベル調整用ボルト３７をパネル外周フレーム２２の下辺フレーム材２７に取付けているため、レベル調整用ボルト３７が長くなりコストアップを招く。また、ブレース材２３との干渉を避けるため、レベル調整用ボルト３７の取付け位置が制限されるという問題もある。
【０００５】
この発明の目的は、ブレース芯の柱脚プレートからの偏芯に起因する柱脚部への負荷を無くすことができるとともに、ブレース接合板の壁パネル建起こし時の変形防止、および製作精度の向上が可能なブレース付き壁パネルの脚部構造を提供することである。
この発明の他の目的は、壁パネルに取付けるレベル調整用ボルトのボルト長を短くできるブレース付き壁パネルの脚部構造を提供することである。
【課題を解決するための手段】
【０００６】
この発明のブレース付き壁パネルの脚部構造は、両側辺の一対の縦フレーム材、上辺フレーム材、および下辺フレーム材により矩形に枠組みされたパネル外周フレームと、このパネル外周フレームの下隅部付近に下端が位置するブレース材とを有し、前記一対の縦フレーム材の両方または片方の縦フレーム材が、建物の柱に沿って配置されて前記柱に接合され、かつ前記下辺フレーム材が前記柱の柱脚プレートよりも上方に位置するブレース付き壁パネルにおいて、前記パネル外周フレームに、下辺における前記柱との接合側の端部から下方に延びて、前記柱の柱脚側面から張り出したパネル取合板に重ねてボルト接合される柱取合兼ブレース接合板を設け、前記ブレース材の下端を、ブレース芯が前記柱の柱芯に前記柱脚プレートの高さ位置で交わるように、前記柱取合兼ブレース接合板に接合し、かつこの柱取合兼ブレース接合板に、パネル建起こし時補強用の建方用アングル材を重ねて接合したことを特徴とする。
【０００７】
この構成によると、ブレース芯が柱芯に柱脚プレートの高さ位置で交わるので、従来例に見られたようなブレース芯の柱脚プレートからの偏芯に起因する柱脚部への負荷を無くすことができる。ブレース芯が柱芯に柱脚プレートの高さ位置で交わるようにした結果、ブレースを接合する柱取合兼ブレース接合板の下方への突出高さが高くなり、パネル建起こし時に、支点となる柱取合兼ブレース接合板に作用する外力が大きくなる。しかも、柱取合兼ブレース接合板に建方用アングル材を重ねて接合したため、壁パネルを建起こしする際に柱取合兼ブレース接合板が変形するのを防止でき、かつこの変形防止に加えて、柱取合兼ブレース接合板の製作精度を上げることが可能となる。
【０００８】
この発明において、前記柱が設置された基礎または土台の上面に下端が接するレベル調整用ボルトを、前記建方用アングル材に調整ボルト取付部材を介して上下位置調整可能に設けても良い。
この構成の場合、パネル外周フレームの下辺フレーム材にレベル調整用ボルトを取付けていた従来例の場合に比べて、レベル調整用ボルトのボルト長を短くでき、それだけコストダウンが可能となる。
【発明の効果】
【０００９】
この発明のブレース付き壁パネルの脚部構造は、両側辺の一対の縦フレーム材、上辺フレーム材、および下辺フレーム材により矩形に枠組みされたパネル外周フレームと、このパネル外周フレームの下隅部付近に下端が位置するブレース材とを有し、前記一対の縦フレーム材の両方または片方の縦フレーム材が、建物の柱に沿って配置されて前記柱に接合され、かつ前記下辺フレーム材が前記柱の柱脚プレートよりも上方に位置するブレース付き壁パネルにおいて、前記パネル外周フレームに、下辺における前記柱との接合側の端部から下方に延びて、前記柱の柱脚側面から張り出したパネル取合板に重ねてボルト接合される柱取合兼ブレース接合板を設け、前記ブレース材の下端を、ブレース芯が前記柱の柱芯に前記柱脚プレートの高さ位置で交わるように、前記柱取合兼ブレース接合板に接合し、かつこの柱取合兼ブレース接合板に、パネル建起こし時補強用の建方用アングル材を重ねて接合したため、ブレース芯の柱脚プレートからの偏芯に起因する柱脚部への負荷を無くすことができるとともに、ブレース接合板の壁パネル建起こし時の変形防止、および製作精度の向上が可能となる。
【図面の簡単な説明】
【００１０】
【図１】この発明の一実施形態にかかるブレース付き壁パネルの脚部構造を適用した建物の外壁構造の正面図である。
【図２】同外壁構造におけるブレース付き壁パネルの脚部構造を示す部分正面図である。
【図３】同脚部構造の斜視図である。
【図４】同脚部構造における壁パネル側の構成を正面側から見た部分拡大斜視図である。
【図５】同壁パネルの建方の説明図である。
【図６】従来例の正面図である。
【発明を実施するための形態】
【００１１】
この発明の一実施形態を図１ないし図５と共に説明する。図１は、この実施形態のブレース付き壁パネルの脚部構造を適用した建物の外壁構造の正面図を示す。ここでは、複数のブレース付き壁パネル１Ａ，１Ｂを、建物の一つの外壁面における両端の柱１０，１０（一端の柱のみ図示）間に配置して外壁が構成される。ブレース付き壁パネル１Ａ，１Ｂは、パネル外周フレーム２と、ブレース材３と、外装面材４（図５）とを有する。パネル外周フレーム２は、両側辺の一対の縦フレーム材５，５、上辺フレーム材６、および下辺フレーム材７により矩形に枠組みされる。ブレース材３は、その下端がパネル外周フレーム２の下隅部付近に位置するように配置される。
【００１２】
同図において、外壁の端の柱１０に隣接して配置されるブレース付き壁パネル１Ａは無柱パネルとされ、前記一対の縦フレーム材５，５の両方が建物の柱１０に沿って配置されて柱１０に接合される。柱１０は、その下端に設けられる柱脚プレート１１を介して基礎１２または土台の上面に設置される。下辺フレーム材７は、柱１０の柱脚プレート１１よりも上方に位置する。
【００１３】
外壁の中間に位置するブレース付き壁パネル１Ｂは片柱パネルとされ、前記一対の縦フレーム材５，５の片方が柱１０を兼ね、その縦フレーム材５の下端は下辺フレーム材７よりも下方に延び、その下端に設けられる柱脚プレート１１を介して基礎１２または土台の上面に設置される。無柱パネルであるブレース付き壁パネル１Ａの片方の縦フレーム材５は、隣接する片柱パネルであるブレース付き壁パネル１Ｂの柱を兼ねる縦フレーム材５に沿って配置され、これに接合される。
【００１４】
各ブレース付き壁パネル１Ａ，１Ｂのパネル外周フレーム２における各フレーム材５，６，７は、溝形、リップ溝形、または角形鋼管等の形鋼からなる。ブレース材３は、平鋼または鋼棒からなる。
【００１５】
ブレース付き壁パネル１Ａ，１Ｂのパネル外周フレーム２には、図２〜図４に示すように、下辺における柱との接合側の端部から下方に延びて、柱取合兼用ブレース接合板１４が設けられる。柱取合兼用ブレース接合板１４は鋼板等からなり、下辺フレーム材７に、または下辺フレーム材７と縦フレーム材５の両方に、溶接等で接合される。ブレース材３の下端は、ブレース芯が柱１０の柱芯に柱脚プレート１１の高さ位置で交わるように、柱取合兼ブレース接合板１４にボルトまたは溶接などにより接合される。柱取合兼用ブレース接合板１４は、隣接する柱１０の柱脚側面から張り出したパネル取合板１３に重ねてボルト接合される。
【００１６】
また、柱取合兼ブレース接合板１４には、パネル建起こし時補強用の建方用アングル材１５が、重ねて溶接などにより接合される。建方用アングル材１５は、柱取合兼ブレース接合板１４におけるブレース重ね側の面とは反対側の面に、両フランジのうちの片方のフランジが重ねて接合され、もう片方のフランジは柱取合兼ブレース接合板１４の側辺に沿って突出するように配置される。建方用アングル材１５の上端は、パネル外周フレーム２の下辺フレーム材７の下面に溶接等で接合される。
【００１７】
図４に拡大して示すように、建方用アングル材１５の突出側のフランジには、調整ボルト取付部材１６を介して、レベル調整用ボルト１７が上下位置調整可能に設けられる。調整ボルト取付部材１６は、長ナット状の雌ねじ部材１６ａと、この雌ねじ部材１６ａを調整ボルト取付部材１６に間隔を開けて接合する板状等の接合片１６ｂとからなる。レベル調整用ボルト１７は、雌ねじ部材１６ａに螺合するボルト本体１７ａと、このボルト本体１７ａの下端に回転自在に連結されてボルト外周に広がる着座部材１７ｂとでなる。
【００１８】
無柱パネルであるブレース付き壁パネル１Ａの下部は、左右対象構造であり、左右両端とも、前記のように柱取合兼ブレース接合板１４、建方用アングル材１５、調整ボルト取付部材１６、およびレベル調整用ボルト１７が設けられる。
【００１９】
図３に示すように、片柱パネルである中間位置のブレース付き壁パネル１Ｂでは、パネル外周フレーム２の柱兼用の縦フレーム材５における下フレーム材７よりも下側の箇所に、パネル内側に伸びてブレース接合板１８が溶接等により接合されている。このブレース接合板１８が設けられた隅に位置するブレース材３の下端は、ブレース接合板１８に重ねてボルトや溶接等により接合される。
【００２０】
上記構成のブレース付き壁パネルの脚部構造によると、ブレース芯が柱芯に柱脚プレート１１の高さ位置で交わるようにしたため、従来例に見られたようなブレース芯の柱脚プレートからの偏芯に起因する柱脚部への負荷を無くすことができる。ブレース芯が柱芯に柱脚プレートの高さ位置で交わるようにした結果、ブレース３を接合する柱取合兼ブレース接合板１４の下方への突出高さが高くなり、図５のように壁パネル１Ａ（１Ｂ）を建起こしする際に、支点となる柱取合兼ブレース接合板１４に作用する外力が大きくなる。しかし、柱取合兼ブレース接合板１４には建方用アングル材１５を重ねて接合したため、壁パネル１Ａ（１Ｂ）を建起こしする際に柱取合兼ブレース接合板１４が変形するのを防止することができる。建方用アングル材１５の接合は、上記の変形防止だけでなく、柱取合兼ブレース接合板１４の製作精度を上げることが容易となる。  
【００２１】
また、図４に示すように、前記建方用アングル材１５には、調整ボルト取付部材１５を介して、レベル調整用ボルト１７が上下位置調整可能に設けられる。このように、レベル調整用ボルト１７を、建方用アングル材１５に調整ボルト取付部材１６を介して上下位置調整可能に設けることにより、パネル外周フレームの下辺フレーム材にレベル調整用ボルトを取付けていた従来例の場合に比べて、レベル調整用ボルト１７のボルト長を短くでき、それだけコストダウンが可能となる。
【符号の説明】
【００２２】
１Ａ，１Ｂ…ブレース付き壁パネル
２…パネル外周フレーム
３…ブレース材
５…縦フレーム材
６…上辺フレーム材
７…下辺フレーム材
１０…柱
１１…柱脚プレート
１２…基礎
１３…パネル取合板
１４…柱取合兼用ブレース接合板
１５…建方用アングル材
１６…調整ボルト取付部材
１７…レベル調整用ボルト
【図１】
0005637893.tif 000002
【図２】
0005637893.tif 000003
【図３】
0005637893.tif 000004
【図４】
0005637893.tif 000005
【図５】
0005637893.tif 000006
【図６】
0005637893.tif 000007